(57)【要約】【課題】簡易な操作で音声を発生させることのできるタッチパネル展示システムを得る。【解決手段】操作者がタッチパネル１の印刷物の絵柄の所定の個所を押すとセンサ１１が検出し、絵柄判定部２１が触れられた絵柄を判定し、音声選択部２２が対応する音声を選択し、音声データ記憶部２３から対応する音声のデータを読み出し、スピーカ２４が音声を発生する。パネルの絵柄に応じた説明、案内などを音声で提供することができる。【選択図】        図１
2005055944.tif 000002
【特許請求の範囲】
【請求項１】
所定の絵柄を表示したタッチパネルと、
前記タッチパネルの前記絵柄に操作者が触れたことを検出する検出手段と、
前記検出手段により操作者が触れた特定の絵柄が検出されると、該絵柄に対応する音声を選択する音声選択手段と、
前記音声選択手段により選択された音声を発生する音声発生手段とを有することを特徴とするタッチパネル展示システム。
【請求項２】
前記タッチパネルは、印刷物であることを特徴とする請求項１記載のタッチパネル展示システム。
【請求項３】
前記音声は前記絵柄を説明する内容であることを特徴とする請求項１又は２記載のタッチパネル展示システム。
【発明の詳細な説明】
【０００１】
【発明の属する技術分野】
本発明は、タッチパネル展示システムに関し、特に、展示内容の絵柄について音声で説明をすることのできるタッチパネル展示システムに関する。
【０００２】
【従来の技術】
従来、たとえばコンピュータを用いたシステムにおいて、ＣＲＴに表示された映像の内容について操作者がその映像の一部の文字に触れるとこの文字の内容に対応する画面が表示されたり、その文字の内容についての説明が表示されるものが知られている。また、たとえば教育用に絵柄が表示され、複数の絵柄の中から特定の絵柄に操作者が触れるとその絵柄を表す音声が発生するものが知られている。たとえばその絵柄の名称や絵柄の内容の説明等が音声として発生される。したがって、操作者は文字を読むことなく音声により内容について知ることができる。
【０００３】
【発明が解決しようとする課題】
しかしながら、コンピュータを用いたシステムは、人によっては操作が難しく、たとえばコンピュータの起動操作等がわかりにくいため、利用しにくいという問題がある。また、ＣＲＴや液晶の画面を見るため、目が疲れ、親しみにくいという問題もある。
【０００４】
本発明は、展示された映像、絵柄、文字などの説明を音声で提供し、コンピュータの画面を直接使用することなく、操作者の操作を容易にし、絵柄等を画面上よりも正確に美しく表示することのできるタッチパネル展示システムを提供することを目的とする。
【０００５】
【課題を解決するための手段】
請求項１に記載のタッチパネル展示システムは、所定の絵柄を表示したタッチパネルと、前記タッチパネルの前記絵柄に操作者が触れたことを検出する検出手段と、前記検出手段により操作者が触れた特定の絵柄が検出されると、該絵柄に対応する音声を選択する音声選択手段と、前記音声選択手段により選択された音声を発生する音声発生手段とを有することを特徴とする。
【０００６】
請求項２に記載のタッチパネル展示システムは、請求項１に記載のシステムにおいて、前記タッチパネルが、印刷物であることを特徴とする。
【０００７】
請求項３に記載のタッチパネル展示システムは、請求項１又は２に記載のシステムにおいて、前記音声が前記絵柄を説明する内容であることを特徴とする。
【０００８】
【発明の実施の形態】
次に本発明のタッチパネル展示システムの実施形態を説明する。
図１には、本発明によるタッチパネル展示システムの一実施形態が示されている。また、図２には本発明によるタッチパネル展示システムの一実施形態の概略構成のブロック図が示されている。
【０００９】
本システムは、タッチパネル１とコンピュータ２から構成されている。タッチパネル１はたとえば印刷物が用いられるが画面上の表示でなく紙等の素材に表示されたものであれば、印刷物でないパネルを用いてもよい。タッチパネル１にはこの実施例においては丸、凸形、長円の３つの形状が表示されている。図１には図示しないが、タッチパネル１には図２に示すようにセンサ１１が設けられ、図１に示すように操作者が丸、凸形、長円の３つの形状のいずれかに触れるとどの図形に触れたかを検出する。
【００１０】
センサ１１は操作者の指や指示棒などの押圧を検出する感圧式センサ、操作者の指や指示棒などの位置を検出する赤外線センサ、超音波センサなどを用いることができる。センサ１１は操作者が触れた位置のＸＹ座標を感知して触れた図柄を検出する。また、センサ１１はタッチパネル１内に一体化するように設けてもよい。
【００１１】
タッチパネル１にはコンピュータ２が接続されている。コンピュータ２はたとえば各種のパーソナルコンピュータなどを用いることができる。コンピュータ２には必要に応じてＦＤ、ＣＤなどを読み込むための読取部が設けられている。コンピュータ２は本実施形態の機能を表す機能部として、図２に示すように、絵柄判定部２１、音声選択部２２、音声データ記憶部２３、スピーカ２４が設けられている。
【００１２】
絵柄判定部２１は、センサ１１から送られる検出信号により操作者がどの絵柄に触れたかを判定する。音声選択部２２は絵柄判定部２１からの信号によりどの音声を選択するかを決定し、音声データ記憶部２３に選択信号を送る。音声データ記憶部２３は音声選択部２２から送られる選択信号に応じて記憶された音声データの中から絵柄に対応する音声を読み出し、スピーカ２４に送る。スピーカ２４は音声データ記憶部２３から送られた音声データに応じた音声を発生する。
【００１３】
したがって、たとえばこの例の場合には操作者である子供が凸形の部分を押すと、「とつです。」という音声がスピーカ２４から発生するので、押した子供はこの形状の名前を認識することができる。
【００１４】
同様に、図示しないが、たとえば地図を表示し、その一部を押すことによりその地名などの音声を発生するものでもよいし、文字を表示し、その読み方または意味などの音声を発生するものでもよい。また、各種の案内用に押した部分の詳細な説明を聞けるようにするものでもよい。
【００１５】
上記の例においては操作者が指で押圧することによって音声を発生させているが、たとえば指示棒などを用いてタッチパネルに触れ、これを検出して音声を発生させるようにしてもよい。
【００１６】
また、表示する絵柄に凹凸を設けることにより、目の不自由な人のための各種案内に利用することもできる。また、印刷物の表面に抗菌剤を塗布することにより抗菌性をもたせるようにしてもよい。また、赤外線センサを用いた場合には指示棒、義手などを用いて音声を発生させることもでき、さらに印刷物に向かって物を投げつけ、当たった個所により異なる音を発生させることによりゲーム性を持たせることも可能である。このようなシステムをたとえば待合室などの壁に配置すれば子供などが退屈することがなく、また幼児教育にも役立つ。
【００１７】
また、印刷物の所定の部分に所定の数の穴を設け、操作者がいずれかの穴に指などを入れたことを検出して音声を発生させるようにしてもよい。
【００１８】
また、印刷物に代えて壁に直接絵柄を描くとともにセンサを設け、壁の絵柄部分に触れたことを検出して音声を発生させるようにしてもよい。
【００１９】
さらにセンサ１１を押圧センサとし押した強さによって発生する音の大きさを変化させるようにすることもできる。
【００２０】
【発明の効果】
本発明によれば、タッチパネルに触れることによりそれに対応した音声を聞くことができるから、各種の案内、教育、娯楽などに利用できる。また、ＣＲＴや液晶の画面を用いずに印刷等によるハードコピーの表示を用いているから、ＣＲＴや液晶の画面の映像を用いるものに比較して操作が容易であり、親しみ易い。したがって、幅広い利用者が利用できるから、教育、宣伝などの効果が高い。さらに、さまざまな素材の印刷物などを用いることにより自由なサイズの展示を安価に実現でき、画面に表示するものと異なり、故障、損傷の恐れも少ない。また、ＣＲＴモニタを用いるものと比較して省エネルギー効果があり、ＣＲＴモニタのように目が疲れることもない。
【００２１】
本発明の展示システムは、博物館、美術館、展示会場などにおける展示に使用できる。また、屋外の案内図、待合室、幼稚園、遊園地など種々の場所に設置して利用可能な極めて有用性の高いものである。
【図面の簡単な説明】
【図１】本発明によるタッチパネル展示システムの一実施形態を示す概略構成図である。
【図２】本発明によるタッチパネル展示システムの一実施形態を示す機能ブロック図である。
【符号の説明】
１  タッチパネル
２  コンピュータ
１１  センサ
２１  絵柄判定部
２２  音声選択部
２３  音声データ記憶部
２４  スピーカ
【図１】
2005055944.tif 000003
【図２】
2005055944.tif 000004